(57)【要約】      （修正有）【課題】カトラリー使用継続中にも、カトラリーの柄が汚れることなく便利、且つ衛生的に作業を行うことを可能とするカトラリー止め乗せを提供する。【解決手段】本カトラリー止め乗せは、容器の口縁内に突起部を配しその突起部にカトラリーを引っ掛けて置いたり、乗せたりして、容器口縁に置くことができる。又、カトラリー止め置きだけを独立させて、容器の口に挟持して使用する容器挟持型カトラリー止め乗せも考えられる。【選択図】図４
0003169099.tif 000002
【実用新案登録請求の範囲】
【請求項１】
スプーンなどのカトラリー使用中にカトラリーを止め乗せするものであって、上方に開口し、平底状の容器に於いて、前記容器の開口上縁より下がった位置に開口内側の一部、又は全周に突起部を設けたことを特徴とするカトラリー止め乗せ。
【請求項２】
上方に開口し、平底状に形成された容器の上縁を挟持する一対の挟持片と、一方の前記挟持片の先端に突起を設けた止め乗せとを備えたことを特徴とするカトラリー止め乗せ。
【請求項３】
前記一対の挟持片は、一枚の金属板、又は樹脂板を曲折して形成され、一方の先端に前記突起部を備え、一対の前記各挟持片に固定され、挟持片の上方に突出した一対のつまみ片を備えたことを特徴とする請求項２に記載のカトラリー止め乗せ。
【請求項４】
前記一対の挟持片は、一枚の金属板、又は、樹脂板をアーチ状に曲折して形成され一方の先端に前記突起部を備えたことを特徴とする請求項２に記載載のカトラリー止め乗せ。
【請求項５】
前記一対の挟持片は、一対の前記挟持片を当該各挟持片の中央に位置する支点において、回動自在に対合させるとともに、前記各挟持片をリングバネで保持し、一方の前記挟持片の先端に前記突起部を備えたことを特徴とする請求項２に記載のカトラリー止め乗せ。
【考案の詳細な説明】
【技術分野】
【０００１】  容器から内容物を取り出す際に使うスプーンやバターナイフなどのカトラリーを容器の中に落とさないように容器の上縁に掛け止めるカトラリー止め乗せに関する。
【背景技術】
【０００２】  カトラリーは通常使用している最中に、容器の中に差し込んで置かれたり、別の皿に取り出して置かれたりする。カトラリーを容器の中に差し込んで置くと柄の部分が、例えばジャムなどで汚れて不衛生になる。またカトラリーの柄の部分に付いたジャムなどが手に付き何かと使い勝手が悪いという問題がある。
従来のカトラリーを容器内に置く器具としては、特許文献１、２に記載のものが知られている。これらは、容器の内側にカトラリーの柄の先端を、掛け止める掛け止め片を設け、カトラリーの柄を掛け止め片に引っ掛けて置く構成としたものである。
【特許文献１】実開平５−６２４４０号公報
【特許文献２】実開平６−３８４２号公報
【考案が解決しようとする課題】
【０００３】  しかし、上記従来のカトラリーを容器に置く器具は、カトラリーを置く時にカトラリーの柄が容器の内部にすっぽりと入るため、容器内の内容物がカトラリーの柄に付着するという問題がある。
そこで、本考案の目的は、カトラリー使用継続中にも、カトラリーの柄が汚れることなく便利、且つ衛生的に作業を行うことを可能とするカトラリー止め乗せを提供することにある。
【課題を解決するための手段】
【０００４】  本考案に斯かるカトラリー止め乗せの第１の構成は、スプーンなどのカトラリー使用中にカトラリーを止め乗せするものであって、上方に開口し、平底状の容器に於いて、前記容器の開口上縁より下がった位置に開口内側の一部、又は全周に突起部を設けたことを特徴とする。
この構成としたことにより、カトラリーの先端は、開口内側の突起部の下面に引っ掛けられたり、上面に置かれたりされる。
カトラリーの柄の中程を対向する容器の口縁に乗せることにより、カトラリーを容器の口に止め置くことができる。これによって、カトラリーの柄が汚れることを防止でき、カトラリーを簡単に置くことができ、内容物を取り出す時に直ぐに、カトラリーを手に取ることができるために利便性もよい。
【０００５】  本考案に斯かる容器口挟持型連結式カトラリー止め乗せの第２の構成は、上方に開口し、平底状に形成された容器の上縁を挟持する一対の挟持片と、一方の前記挟持片の先端に突起を設けた止め乗せとを備えたことを特徴とする。
この構成としたことにより、カトラリーの先端は、カトラリー止め乗せ突起部の下面に引っ掛けられたり、また、上面に置かれたりされる。カトラリーの柄の中程を対向する容器の口縁に乗せることによりカトラリーを容器の口に止め置くことができる。これによって、カトラリーの柄が汚れることを防止でき、カトラリーを簡単に止め置くことができ、内容物を取り出す時に、直ぐにカトラリーを手に取ることができるために、利便性もよい。
【０００６】  本考案に斯かる容器口挟持型クリップ式カトラリー止め乗せの第３の構成は、前記第２の構成において、前記一対の挟持片は、一枚の金属板、又は樹脂板を曲折して形成され、一方の先端に前記突起部を備え、一対の前記各挟持片に固定され、挟持片の上方に突出した一対のつまみ片を備えたことを特徴とする。
この構成としたことにより、つまみ片があるために第２の構成より、挟持する動作がし易くなる。カトラリー止め乗せの先端は、開口内側に突起部が来るように挟持され、カトラリーの先端は、突起部の下面に引っ掛けられ、また、上面に置かれる。カトラリーの柄の中程を対向する容器の口縁に乗せることによりカトラリーを容器の口に止め置くことができる。これによって、カトラリーの柄が汚れることは防止でき、カトラリーを簡単に止め置くことができ、内容物を取り出す時に、直ぐにカトラリーを手に取ることができるために、利便性もよい。
【０００７】  本考案に斯かる容器口挟持型アーチ式カトラリー止め乗せの第４の構成は、前記第２の構成において、前記一対の挟持片は、一枚の金属板、又は、樹脂板をアーチ状に曲折して形成され、一方の先端に前記突起部を備えたことを特徴とする。
この構成としたことにより、差し込むだけで良いため、挟持させる動作がし易くなる。カトラリー止め乗せの先端は、開口内側に突起部が来るように挟持され、カトラリーの先端は、突起部の下面に引っ掛けられ、また、上面に置かれる。カトラリーの柄の中程を対向する容器の口縁に乗せることによりカトラリーを容器の口に止め置くことができる。これによって、カトラリーの柄が汚れることは防止でき、カトラリーを簡単に止め置くことができ、内容物を取り出す時に、直ぐにカトラリーを手に取ることができるために、利便性もよい。
【０００８】本考案に斯かる洗濯バサミ式カトラリー止め乗せの第５の構成は、前記第２の構成において、前記一対の挟持片は、一対の前記挟持片を当該各挟持片の中央に位置する支点において、回動自在に対合させるとともに、前記各挟持片をリングバネで保持し、一方の前記挟持片の先端に前記突起部を備えたことを特徴とする。
この構成としたことにより、挟持させる動作がし易くなる。カトラリー止め乗せの先端は、開口内側に突起部が来るように挟持され、カトラリーの先端は、突起部の下面に引っ掛けられ、また、上面に置かれる。カトラリーの柄の中程を対向する容器の口縁に乗せることによりカトラリーを容器の口に止め置くことができる。これによって、カトラリーの柄が汚れることは防止でき、カトラリーを簡単に止め置くことができ、内容物を取り出す時に、直ぐにカトラリーを手に取ることができるために、利便性もよい。
【考案の効果】
【００１０】  以上のように本考案によれば突起部を設けたことにより、従来、カトラリーを容器の中に差し込んで置いたり、別の皿に取り出して置いたりしていたことによるカトラリー使用中の不便が解消される。また、差し込んで置くことによりカトラリーの柄の部分が汚れて不衛生になったり、使い勝手が悪かったりする問題が解決される。
【図面の簡単な説明】
【００１１】
【図１】カトラリー止め乗せ付き容器の斜視図（ａ）（ｂ）
【図２】図１断面図（ａ−１）（ｂ−２）
【図３】図１の突起部の下面にカトラリーを引っ掛けて使用している斜視図
【図４】図１の突起の上面に置き使用中の斜視図
【図５】容器口挟持型連結式カトラリー止め乗せ本体の斜視図
【図６】容器口挟持型クリップ式カトラリー止め乗せ本体の斜視図
【図７】容器口挟持型アーチ式カトラリー止め乗せ本体の斜視図
【図８】容器口挟持型洗濯バサミ式カトラリー止め乗せ本体の斜視図
【図９】図８の使用中の斜視図
【符号の説明】
【００１２】１      カトラリー止め乗せ付きの容器本体
２−１  カトラリー止め乗せ一部突起部
２−２  カトラリー止め乗せ全周突起部
２−３  図５、図６、図７、図８の突起部
３      容器蓋ネジ部分
４      スプーン（カトラリー）
５−１  挟持片
５−２  挟持片
６      連結片
６−１  連結部
７      つまみ片
８−１  連結片、挟持片曲折角度鋭角
８−２  連結片、挟持片曲折角度鋭角
９      容器口挟持型連結式カトラリー止め乗せ本体
１０    支点
１１    容器口挟持型クリップ式カトラリー止め乗せ本体
１２    容器口挟持型アーチ式カトラリー止め乗せ本体
１３    容器口挟持型洗濯バサミ式カトラリー止め乗せ本体
１４    リングバネ
１５    一般的な普及容器
１６    支点
【考案を実施するための形態】
【実施例１】  カトラリー止め乗せ付き容器１について述べる。
図１はカトラリー止め乗せ付き容器１の斜視図である。図１において、容器１は上方に開口した平底容器で、容器蓋ネジ部分３の開口上縁より下がった位置に開口内側の一部（ａ）、又は、全周（ｂ）にカトラリー４を保持するための突起部２−１、２−２を備えている。
図２（ａ−１）は図１（ａ）の断面図である。図２（ｂ−２）は（ｂ）の断面図である。図３は、図１の突起部２−１の下面にカトラリー４を引っ掛けて使用している斜視図である。容器の直径より長い柄を持つカトラリー４の場合は、カトラリー４の重心が容器１の口縁に接する部分である支点１０よりも後ろにあるため突起部２−１の上面に置けば、通常であれば、カトラリー４は容器の外に落ちる。そのためにカトラリー４の先端を、突起部２−１の下面に引っ掛けて落ちないように止めて使用する。
図４は、カトラリー４の重心がカトラリー４の支点１０よりも前方にある接合を示す。
図４の場合、カトラリー４の先端は、通常であれば、カトラリー４は、容器内に落下するために、突起部２−１の下面に引っ掛けて使用できず、カトラリー４の先端を突起部２−１の上面に乗せて使用する。
【実施例２】  実施例２では、容器口挟持型連結式カトラリー止め乗せ９について述べる。
図５はガラスビン１５などの容器口に挟持して使用するカトラリー止め乗せ９である。弾性を有する一枚の金属板，又は、樹脂板を曲折して形成されている。容器口挟持型連結式カトラリー止め乗せ９が使用中に容器１５から外れないように、挟持片５−１、５−２と連結片６のなす角度は鋭角８−１、８−２に曲折されている。挟持片５−２の先を曲折させ、カトラリー４を上面に乗せたり下面から引っ掛けたりできる突起部２−３が形成されている。
カトラリー４の柄の中程を対向する容器の口縁に乗せることによりカトラリー４を容器の口に止め置くことができる。これによって、カトラリーの柄が汚れることは防止でき、カトラリーを容器１５内に簡単に止め置くことができ、内容物を再度取り出す時に、直ぐにカトラリー４を手に取ることができるため、利便性もよくなる。
【実施例３】  実施例３では、容器口挟持型クリップ式カトラリー止め乗せ１１について述べる。
図６は、容器口挟持型連結式カトラリー止め乗せ９に、つまみ片７、７を設けてクリップ式にしたカトラリー止め乗せ１１の斜視図である。容器口を挟持して使用する。挟持片５−１、５−２は連結片６で連結される。つまみ片７、７は挟持片に固定され、一対の挟持片５−１、５−２から突出した一対のつまみ片７、７を備えている。挟持片５−２の先端にカトラリー４を上面に乗せたり、下面に引っ掛けたりできる突起部２−３が設けられている。
つまみ片７、７を付けたことにより、容器口挟持型クリップ式カトラリー止め乗せ１１は容器１５に取り付け易くなる。
カトラリー４の柄の中程を対向する容器の口縁に乗せることにより、カトラリー４を容器の口に止め置くことができる。これによって、カトラリー４の柄が汚れることは防止され、カトラリー４を簡単に容器１５内に止め置くことができ、継続使用の際、内容物を取り出す時に、直ぐにカトラリー４を手に取ることができるため、利便性もよくなる。
容器口挟持型連結式カトラリー止め乗せ９にクリップを設けたことで、容器１５により脱着し易くなる。
【実施例４】  実施例では、容器口挟持型アーチ式カトラリー止め乗せ１２について述べる。
図７は容器口挟持型アーチ式カトラリー止め乗せ１２本体の斜視図である。カトラリー止め乗せ１２は弾性を有する一枚の金属又は樹脂板を、アーチ状に曲折し、両側の挟持片５−１、５−２とし、中央を連結部６−１としたものである。一方の挟持片５−２の先端を曲折して突起部２−３を設けている。
これにより、カトラリー４の先端は、開口内側の突起部２−３の下面に引っ掛けられたり、上面に置かれたりされ、カトラリー４の柄の中程を対向する容器１５の口縁に止め乗せ置くことができる。これによって、カトラリー４の柄が汚れることを防止でき、カトラリー４を突起部２−３の下面や上面に止め置くことができる。カトラリー４を継続使用するときの利便性もよくなる。アーチ式１２にしたことにより、更に容器１５に脱着し易く、また、ジャムなどで汚れても構造が単純なために洗いやすく、製造も簡単である。
【実施例５】  実施例５では、容器口挟持型洗濯バサミ式カトラリー止め乗せ１３について述べる。
図８は容器口挟持型洗濯バサミ式カトラリー止め乗せ１３本体の斜視図である。本実施例のカトラリー止め乗せ１３は洗濯バサミ型で、挟持片５−１、５−２は、その中央に位置する支点１６において、回動自在に対合されており、リングバネ１４で先端部が互いに押し合うように付勢されている。一方の挟持片５−２を曲折させ、カトラリー４を使用中に乗せたり、引っ掛けたりする突起部２−３が設けられている。
これにより、カトラリー４の先端は開口内側の突起部の下面に引っ掛けられたり、上面に乗せられたりする。カトラリー４の柄の中程を対向する容器の口縁に乗せることによりカトラリー４を容器の口に止め置くことができる。これによって、カトラリー４の柄が汚れることを防止でき、カトラリー４を簡単に継続使用するときの利便性もよくなる。更に、洗濯バサミ式１３にしたことにより、容器１５に脱着し易く、また、ジャムなどで汚れても構造が単純なので洗いやすく、使用も簡単である。
図９は図８の使用図である。
【図１】
0003169099.tif 000003
【図２】
0003169099.tif 000004
【図３】
0003169099.tif 000005
【図４】
0003169099.tif 000006
【図５】
0003169099.tif 000007
【図６】
0003169099.tif 000008
【図７】
0003169099.tif 000009
【図８】
0003169099.tif 000010
【図９】
0003169099.tif 000011